(57)【要約】【課題】設置場所に合わせて表示部の表示内容を見易くすることができる決済端末を提供する。【解決手段】決済端末１は、筐体２及び表示部３を有する本体５と、本体５に設けられ、支持面１００に対する表示部３の角度を調整可能に表示部３を筐体２に連結した連結機構６と、支持面１００に対する本体５の角度を調整する角度調整機構２０と、を備える。【選択図】図３
2011100205.tif 000002
【特許請求の範囲】
【請求項１】
支持部に支持される決済端末であって、
筐体と、
前記筐体に取り付けられ、決済に係る情報を記憶した決済情報媒体から前記情報を読み取る読取部と、
表示部と、
前記支持部に対する前記表示部の角度を調整可能に前記表示部を前記筐体に連結した連結機構と、
を備えることを特徴とする決済端末。
【請求項２】
前記連結機構は、前記筐体と前記表示部とのうちの一方に設けられた軸部と、前記筐体と前記表示部とのうちの他方に設けられ、前記軸部に相対回動可能に外嵌した嵌合部と、を有し、前記軸部と前記嵌合部との間の摩擦抵抗によって前記支持部に対する前記表示部の角度を維持することを特徴とする請求項１に記載の決済端末。
【請求項３】
支持部に支持される決済端末であって、
決済に係る情報を記憶した決済情報媒体から前記情報を読み取る読取部及び表示部を有する本体と、
前記支持部に対する前記本体の角度を調整する角度調整機構と、
を備えることを特徴とする決済端末。
【請求項４】
前記角度調整機構は、
前記本体に回動可能に連結され、前記支持部に支持される基体と、
前記基体と前記本体とのうちの一方に設けられた複数の係止部と、
複数の前記係止部に選択的に係止可能に前記基体と前記本体とのうちの他方に回動可能に連結され、係止する前記係止部毎に前記支持部に対する前記本体の角度を異ならせる突っ張り部材と、
を有することを特徴とする請求項３に記載の決済端末。
【請求項５】
支持部に支持される決済端末であって、
筐体、前記筐体に支持され決済情報媒体に記憶されている情報を読み取る読取部及び表示部を有する本体と、
前記本体に設けられ、前記支持部に対する前記表示部の角度を調整可能に前記表示部を前記筐体に連結した連結機構と、
前記支持部に対する前記本体の角度を調整する角度調整機構と、
を備えることを特徴とする決済端末。
【請求項６】
前記連結機構は、前記筐体と前記表示部とのうちの一方に設けられた軸部と、前記筐体と前記表示部とのうちの他方に設けられ、前記軸部に相対回動可能に外嵌した嵌合部と、を有し、前記軸部と前記嵌合部との間の摩擦抵抗によって前記支持部に対する前記表示部の角度を維持し、
前記角度調整機構は、
前記本体に回動可能に連結され、前記支持部に支持される基体と、
前記基体と前記本体とのうちの一方に設けられた複数の係止部と、
複数の前記係止部に選択的に係止可能に前記基体と前記本体とのうちの他方に回動可能に連結され、係止する前記係止部毎に前記支持部に対する前記本体の角度を異ならせる突っ張り部材と、
を有することを特徴とする請求項５に記載の決済端末。
【発明の詳細な説明】
【技術分野】
【０００１】
本発明は、表示部を備える決済端末に関する。
【背景技術】
【０００２】
近年、小売店等における買い物での決済として電子マネーによる電子決済を行う決済システムがある。この決済システムでは、客が所有する非接触ＩＣカードと店舗に設置された決済端末との間で近距離無線通信を行って、非接触ＩＣカードに格納された電子マネーによる電子決済を行う（例えば、特許文献１参照）。
【０００３】
決済端末は、非接触ＩＣカードに記憶された決済に係る情報を読み取る読取部と、各種情報を表示する表示部と、これらの読取部及び表示部が固定された筐体と、を備えている。このような決済端末では、決済端末が所定の高さのレジカウンタ等に設置された場合に客に表示部が見やすいように表示部が筐体に固定されている。
【発明の概要】
【発明が解決しようとする課題】
【０００４】
このような決済端末の設置場所は店舗によって様々であり、決済端末を所定の高さよりも高い位置に設置した場合等には、客にとって表示部が見え難くなってしまうという問題がある。このように表示部が見え難くなると、客に本当に決済端末で決済が行われたのかと疑念を生じさせ、客に心理的な不安を与えてしまう。
【０００５】
本発明は、上記に鑑みてなされたものであって、設置場所に合わせて表示部の表示内容を見易くすることができる決済端末を提供することを目的とする。
【課題を解決するための手段】
【０００６】
上述した課題を解決し、目的を達成するために、本発明は、支持部に支持される決済端末であって、筐体と、前記筐体に取り付けられ、決済に係る情報を記憶した決済情報媒体から前記情報を読み取る読取部と、表示部と、前記支持部に対する前記表示部の角度を調整可能に前記表示部を前記筐体に連結した連結機構と、を備えることを特徴とする。
【０００７】
また、本発明は、支持面に支持される決済端末であって、決済に係る情報を記憶した決済情報媒体から前記情報を読み取る読取部及び表示部を有する本体と、前記支持部に対する前記本体の角度を調整する角度調整機構と、を備えることを特徴とする。
【０００８】
また、本発明は、支持面に支持される決済端末であって、筐体、前記筐体に支持され決済情報媒体に記憶されている情報を読み取る読取部及び表示部を有する本体と、前記本体に設けられ、前記支持部に対する前記表示部の角度を調整可能に前記表示部を前記筐体に連結した連結機構と、前記支持部に対する前記本体の角度を調整する角度調整機構と、を備えることを特徴とする。
【発明の効果】
【０００９】
本発明によれば、決済端末において、設置場所に合わせて表示部の表示内容を見易くすることができる。
【図面の簡単な説明】
【００１０】
【図１】図１は、本発明の一実施の形態にかかる決済端末を示す斜視図である。
【図２】図２は、決済端末を示す側面図である。
【図３】図３は、決済端末を示す側面図である。
【図４】図４は、表示部及び連結機構を示す分解平面図である。
【図５】図５は、本体及び角度調整機構の一部を示す底面図である。
【図６】図６は、角度調整機構の一部を示す平面図である。
【図７】図７は、決済端末を備えるセルフ会計装置及び籠載置台を示す斜視図である。
【発明を実施するための形態】
【００１１】
以下に添付図面を参照して、この発明にかかる決済端末の一実施の形態を詳細に説明する。
【００１２】
図１ないし図３に示すように、決済端末１は、筐体２に表示部３及び読取部４等が取り付けられて構成された本体５を備えている。決済端末１は、支持部である支持面１００に載置され、支持面１００によって支持される。支持面１００は、例えば平坦に形成されている。
【００１３】
本体５は、角度調整機構２０によって、支持面１００に対する角度（図３中のβ）が調整可能となっている。本体５は、略直方体状に形成されており、その長手方向の一端部から他端部に向かって、読取部４、表示部３が順に配置されている。
【００１４】
筐体２は、略直方体状に形成されて読取部４を支持している読取支持面２ａと、この読取支持面２ａの一端部から延出していて表示部３を支持する左右一対の表示支持面２ｂと、を有している。
【００１５】
読取部４は、アンテナ（図示せず）を有した無線通信装置であり、読取面４ａにかざされた非接触ＩＣカード（図示せず）との間で近距離の無線通信を行う。非接触ＩＣカードには、決済に係る情報が記憶されており、読取部４は、無線通信によって非接触ＩＣカードに記憶されている決済に係る情報を読み取る。この無線通信は、例えばＲＦＩＤ（Radio Frequency Identification：無線周波数識別）で用いられる近距離無線通信用の電波を用いて行われる。ここで、非接触ＩＣカードには、決済に係る情報として、例えばプリペイド方式の電子マネーの残高、カード識別情報、顧客識別情報等の情報が記憶されている。
【００１６】
表示部３は、例えば液晶表示器であり、左右方向に細長い直方体に形成されている。表示部３は、図示しない制御部に制御されて、表示面３ａに各種情報を表示する。表示部３が表示する情報としては、例えば、取引の金額や非接触ＩＣカードの残金等の取引に関する金額情報の他、「こちらにかざして下さい」、「ご利用ありがとうございました」等の情報である。この表示部３は、連結機構６によって筐体２に連結されている。
【００１７】
連結機構６は、支持面１００に対する角度（図２中のα）を調整可能に表示部３を筐体２に連結している。連結機構６は、図２ないし図４に示すように、表示部３に設けられた左右一対の軸部７と、これらの各軸部７毎に筐体２に設けられ、対応する軸部７に相対回動可能に嵌合した嵌合部８と、を有して構成されたフリーストップヒンジである。軸部７は、表示部３の側壁から側方に延出しており、軸部７の軸方向は、支持面１００に沿っている。この軸部７は、例えば樹脂製である。嵌合部８は、円筒状に形成されており、その軸方向は、軸部７の軸方向と同じである。この嵌合部８は、その筒孔に軸部７が圧入嵌合されている。嵌合部８は、例えば樹脂製である。そして、連結機構６は、軸部７と嵌合部８との間の摩擦抵抗によって支持面１００に対する表示部３の角度を維持しており、これにより、表示部３が自重によって軸部７を中心として回動することを阻止している。一方、表示部３に軸部７回りの回動方向の力が作用して規定以上の回転モーメントが軸部７に作用すると、軸部７が嵌合部８に対して相対回動し、これにより表示部３が回動する。なお、軸部７を筐体２に設け、嵌合部８を表示部３に設けても良い。即ち、軸部７が筐体２と表示部３とのうちの一方に設けられ、嵌合部８が筐体２と表示部３とのうちの他方に設けられていれば良い。
【００１８】
角度調整機構２０は、支持面１００に対する本体５の角度を調整する。角度調整機構２０は、支軸２１によって本体５に回動可能に連結されて支持面１００に支持される基体２２と、基体２２に設けられたストッパ部２５と、本体５に回動可能に連結された突っ張り部材２３と、を有している。
【００１９】
支軸２１は、筐体２の一端部を左右方向に貫通して設けられている。この支軸２１の軸方向は、軸部７の軸方向と同一である。
【００２０】
基体２２は、支持面１００に載置される平板部２２ａを有している。平板部２２ａは、略矩形状をなしており、本体５の底面に対して対向配置されている。この基体２２の一端部における左右の縁部のそれぞれには、側壁部２２ｂが本体５に向けて立設されている。これら左右一対の側壁部２２ｂには、支軸２１が連結されており、これにより、基体２２と本体５とが支軸２１によって回動可能に連結されている。
【００２１】
また、基体２２の他端部には、支持壁部２２ｃが本体５に向けて立設されている。この支持壁部２２ｃは、その上端部で本体５の底面（筐体２の底面）を支持することで支軸２１を中心とする本体５の下方への回動を阻止し、本体５を位置決めする。このときの基体２２に対する本体５の位置を初期位置と称する。この初期位置では、読取部４の読取面４ａが支持面１００と略平行となる。したがって、支持面１００が略水平の場合には、読取部４の読取面４ａが略水平となる。
【００２２】
ストッパ部２５は、図３及び図６に示すように、基体２２における本体５との対向面（上面）に設けられている。ストッパ部２５には、複数の係止部である複数の溝部２５ａが形成されている。これらの溝部２５ａは、支軸２１の軸方向（左右方向）に沿って延在しており、これらの溝部２５ａは、支軸２１の軸方向と直交する方向に沿って並列配置されている。
【００２３】
突っ張り部材２３は、複数の溝部２５ａに選択的に係止可能に本体５に回動可能に連結されている。突っ張り部材２３は、具体的には、図５に示すように、支軸２１と平行な軸部２３ａと、この軸部２３ａと平行であって軸部２３ａに対して対向配置された係合棒部２３ｃと、軸部２３ａと係合棒部２３ｃとの端部同士を接続した左右一対の接続棒部２３ｂと、を有して、矩形の環状形に形成されている。軸部２３ａは、留め具２４によって本体５の裏面に対して回動可能に取り付けられており、かかる構造によって、突っ張り部材２３は、係合棒部２３ｃを自由端部とし、軸部２３ａを中心として本体５に対して回動可能となっている。そして、係合棒部２３ｃが、溝部２５ａに係脱可能となっている。
【００２４】
この角度調整機構２０においては、図２に示すように、突っ張り部材２３の係合棒部２３ｃがストッパ部２５の溝部２５ａに対して離脱した状態では、支持壁部２２ｃがその上端部で本体５の底面（筐体２の底面）を支持し、本体５を初期位置に位置決めする。一方、図３に示すように、初期位置から支軸２１を中心に本体５が上方へ回動した状態で、突っ張り部材２３の係合棒部２３ｃがストッパ部２５のいずれか一つの溝部２５ａに対して係止した状態では、突っ張り部材２３が本体５と基体２２との間で突っ張り状態となる。これにより、溝部２５ａに係止した突っ張り部材２３が本体５の回動を阻止し、本体５を溝部２５ａに応じた回動位置に位置決めする。このとき、係合棒部２３ｃが係合する溝部２５ａに応じて支持面１００に対する本体５の角度が変化する。具体的には、係合棒部２３ｃが係合する溝部２５ａが支軸２１に近いほど支持面１００に対して本体５が立った状態に近づく。即ち、突っ張り部材２３は、係止する溝部２５ａ毎に支持面１００に対する本体５の角度を異ならせる。なお、溝部２５ａを含むストッパ部２５を本体５に設け、突っ張り部材を基体２２に設けても良い。即ち、溝部２５ａが基体２２と本体５とのうちの一方に設けられ、突っ張り部材２３が基体２２と本体５とのうちの他方に回動可能に連結されていれば良い。
【００２５】
以上の構成の決済端末１は、様々な場所に設置可能である。決済端末１の設置態様の一例として、図７に、セルフ会計装置２００の載置台２０１に形成された支持面１００に決済端末１を設置した例を示す。
【００２６】
図７に示すセルフ会計装置２００は、タッチパネル付き表示部２０２と、バーコード化された商品コードを読み取るスキャナ２０３と、レシートを発行するプリンタ２０４と、秤装置２０５と、袋支持具２０６とを備えている。タッチパネル付き表示部２０２とスキャナ２０３とプリンタ２０４とは、筐体２０７に取り付けられており、この筐体２０７の側壁に載置台２０１が固定されている。また、このセルフ会計装置２００は、制御部（図示せず）を備えている。この制御部には、タッチパネル付き表示部２０２、スキャナ２０３、プリンタ２０４、秤装置２０５、決済端末１が接続されており、制御部は、それらの各部を制御する。このセルフ会計装置２００の隣には、籠載置台３００が設置されている。
【００２７】
このセルフ会計装置２００は、当該セルフ会計装置２００の前方に立った客によって操作される。客は、籠載置台３００に載置した買物籠の中の会計前の商品を取り出してスキャナ２０３に近接させて、スキャナ２０３に商品コードの読み取りを行わせる。そして、客は、スキャナ２０３によって商品コードの読み取りがなされた商品をレジ袋に詰める。このレジ袋は、袋支持具２０６に引掛けられている。
【００２８】
そして、タッチパネル付き表示部２０２に表示された終了ボタンが客によってタッチ操作されると、セルフ会計装置２００の制御部は、タッチパネル付き表示部２０２を制御して、代金及び決済端末１での電子マネーによる支払いを指示するメッセージをタッチパネル付き表示部２０２に表示するとともに、決済端末１を制御して、決済端末１の表示部３に非接触ＩＣカードの近接を促すメッセージ（例えば、「ここにかざして下さい」）等を表示させる。そして、決済端末１の読取部４は、当該読取部４にかざされた非接触ＩＣカードに記憶された電子マネーの残高やカード識別情報等の情報を読み取った後、非接触ＩＣカードに、電子マネーの残高から代金分の金額を減額させる。このようにして電子マネーによる決済が完了した後、決済端末１の読取部４は、例えば「ご利用ありがとうございました」等の情報を表示する。
【００２９】
以上説明したように、本実施の形態の決済端末１にあっては、連結機構６が、支持面１００に対する表示部３の角度を調整可能に表示部３を筐体２に連結していることにより、決済端末１の設置場所に合わせて支持面１００に対する表示部３の角度を調整することができるので、決済端末１の設置場所に合わせて表示部３の表示内容を見易くすることができる。
【００３０】
また、決済端末１にあっては、連結機構６は、筐体２と表示部３とのうちの一方（本実施の形態では表示部３）に設けられた軸部７と、筐体２と表示部３とのうちの他方（本実施の形態では筐体２）に設けられ、軸部７に相対回動可能に外嵌した嵌合部８と、を有している。そして、連結機構６は、軸部７と嵌合部８との間の摩擦抵抗によって支持面１００に対する表示部３の角度を維持する。したがって、比較的簡素な構成で支持面１００に対する表示部３の角度を調整することができる。
【００３１】
また、決済端末１にあっては、角度調整機構２０が支持面１００に対する本体５の角度を調整する。したがって、決済端末１の設置場所に合わせて、支持面１００に対する本体５の角度を調整することで支持面１００に対する表示部３の角度を調整することができるので、決済端末１の設置場所に合わせて表示部３の表示内容を見易くすることができる。また、このように、角度調整機構２０によって支持面１００に対する本体５の角度を調整可能であるので、読取部４の読取面４ａを、水平にしたり水平面から傾斜させたりすることができる。読取部４の読取面４ａを水平にすることにより、非接触ＩＣカードを読取面４ａに安定して載置することができる。一方、読取面４ａを水平面に対して傾斜させて、読取面４ａへ載置された非接触ＩＣカードを落下させるようにすれば、読取面４ａに非接触ＩＣカードをかざす際には、客は非接触ＩＣカードを読取面４ａに置かずに把持する必要があるので、支持面１００への非接触ＩＣカードの置き忘れを抑制することができる。
【００３２】
また、決済端末１にあっては、角度調整機構２０は、基体２２と、複数の係止部である複数の溝部２５ａと、突っ張り部材２３と有し、基体２２は、本体５に回動可能に連結されて、支持面１００に支持され、溝部２５ａは、基体２２と本体５とのうちの一方（本実施の形態では、基体２２）に設けられ、突っ張り部材２３は、複数の溝部２５ａに選択的に係止可能に基体２２と本体５とのうちの他方（本実施の形態では、本体５）に回動可能に連結され、係止する溝部２５ａ毎に支持面１００に対する本体５の角度を異ならせる。したがって、突っ張り部材２３の係止先（溝部２５ａ）を変更することにより、表示部３を含む本体５の支持面１００に対する角度を変更することができるので、決済端末１の設置場所に合わせて表示部３の表示内容を見易くすることができる。
【００３３】
なお、本発明は、上記実施の形態に限ることなく本発明の要旨を逸脱しない範囲で他の実施の形態を各種採用することができる。例えば、読取部は、非接触ＩＣカードの情報を読み取るものに限ることなく、例えば、クレジットカードやキャッシュカード等の磁気カードの情報を読み取るものであっても良い。
【００３４】
また、支持部としては、平坦な支持面１００に限ることなく、例えば、凹凸状や湾曲状に形成されたものや、決済端末１を嵌合等によって支持するものであっても良い。
【符号の説明】
【００３５】
１…決済端末
２…筐体
３…表示部
４…読取部
５…本体
６…連結機構
７…軸部
８…嵌合部
２０…角度調整機構
２２…基体
２３…突っ張り部材
２５…ストッパ部
２５ａ…溝部（係止部）
１００…支持面（支持部）
【先行技術文献】
【特許文献】
【００３６】
【特許文献１】特開２００４−８６２４２公報
【図１】
2011100205.tif 000003
【図２】
2011100205.tif 000004
【図３】
2011100205.tif 000005
【図４】
2011100205.tif 000006
【図５】
2011100205.tif 000007
【図６】
2011100205.tif 000008
【図７】
2011100205.tif 000009